(57)【要約】【課題】衣服、特にＹシャツを着用すると、その襟部より露出する磁性体を着用者の首部のつぼ付近に自然に位置させて、その磁力を長時間に亘って身体に作用させることができる衣服襟部構造を提供すること。【解決手段】偏平で弾性を有し、表面に磁性体を取り付けた帯体と、開口部を形成した横長の袋体を、衣服襟部の下方の首周り部の裏面に周方向で取り付け、帯体を前記開口部より前記袋体へ挿入して後、衣服を着用する衣服襟部構造。【選択図】図３
2009013508.tif 000002
【特許請求の範囲】
【請求項１】
偏平で弾性を有し、表面に磁性体を取り付けた帯体と、開口部を形成した横長の袋体を、衣服襟部の下方の首周り部の裏面又は表面に周方向で取り付け、前記帯体を前記開口部より前記袋体へ挿入して後、当該衣服を着用することを特徴とする衣服襟部構造。
【請求項２】
前記磁性体が、永久磁石であることを特徴とする請求項１に記載の衣服襟部構造。
【請求項３】
前記磁性体が、ゴム磁石であることを特徴とする請求項
１に記載の衣服襟部構造。
【請求項４】
前記袋体の中央部には窓部が形成され、前記帯体を前記袋体に挿入した場合には、前記磁性体が前記窓部から露出することを特徴とする請求項１から３に記載の衣服襟部構造。
【請求項５】
開口部を形成した横長の襟袋を、衣服襟部の裏面又は表面に周方向で取り付け、前記襟袋に襟カラーを挿入することを特徴とする請求項１から請求項４に記載の衣服襟部構造。
【請求項６】
弾性を有し、略全体が磁性体からなる帯体と、開口部を形成した横長の肩袋を、衣服首周り部の下方の裏面又は表面に周方向で取り付け、前記帯体を前記開口部より前記袋体へ挿入して後、当該衣服を着用することを特徴とする衣服襟部構造。
【発明の詳細な説明】
【技術分野】
【０００１】
本発明は、衣服、特にＹシャツを着用する場合に、その襟部に取り付けられた磁性体が身体のつぼを刺激することで、磁力の作用により着用者の健康増進に役立つと期待される衣服襟部構造に関する。
【背景技術】
【０００２】
従来から、皮膚を通して磁性体による磁力を身体に作用させると、血行の増進やこり、傷み等の解消に有効であることが経験的に知られており、この原理を応用した各種の健康機器が開発されている。
【０００３】
例えば、特開平５−３０７３１４号（特許文献１）においては、永久磁石よりなる複数個の装飾体と非磁性体より成る複数個の装飾体とを所定の配列順序に従って一連に連結してなり、永久磁石の各装飾体は、複数のカット面を有する多面体に形成されると共に、連結方向と直交する側にＮ、Ｓの各磁極が生ずるよう着磁されており、これによりカット面の稜線に沿って磁力線を集中させるネックレスが提案されている。
【０００４】
【特許文献１】特開平５−３０７３１４号公報
【発明の開示】
【発明が解決しようとする課題】
【０００５】
しかし、そのような磁性体を使用したネックレスが身体に効果的に作用するであろうと考えられる状態は、ネックレス着用時間全体の中ではわずかであり、また、そのような磁性体が健康増進に役立つ身体のつぼ付近に位置している状態はさらに少ないと考えられる。したがって、せっかく強力な磁力を発生するネックレス等を身につけても、実際には本来期待できる効果の半分も発揮できないという問題点を有していた。
【０００６】
本発明は、衣服、特にＹシャツを着用すると、その襟部より露出する磁性体を着用者の首部のつぼ付近に自然に位置させて、その磁力を長時間に亘って身体に作用させることができる衣服襟部構造を提供することを目的とする。また、本発明は、そのような衣服を着用してさらにネクタイを締めると、磁性体が着用者の皮膚と密着又は極めて隣接しより強い効果を期待できる衣服襟部構造を提供することを目的とする。
【課題を解決するための手段】
【０００７】
この発明に係る衣服襟部構造は、前記目的を達成するために、次の構成からなる。すなわち、請求項１に記載の発明に係る衣服襟部構造は、偏平で弾性を有し、表面に磁性体を取り付けた帯体と、開口部を形成した横長の袋体を、衣服襟部の下方の首周り部の裏面又は表面に周方向で取り付け、前記帯体を前記開口部より前記袋体へ挿入して後、当該衣服を着用することを特徴とする。また、請求項２に記載の発明に係る衣服襟部構造は、請求項１に記載の発明に係る衣服襟部構造において、前記磁性体が、永久磁石であることを特徴とする。くわえて、請求項３に記載の衣服襟部構造は、請求項１に記載の発明に係る衣服襟部構造において、前記磁性体が、ゴム磁石であることを特徴とする。
【０００８】
次に、請求項４に記載の発明に係る衣服襟部構造は、請求項１から３に記載の発明に係る衣服襟部構造において、前記袋体の中央部には窓部が形成され、前記帯体を前記袋体に挿入した場合には、前記磁性体が前記窓部から露出することを特徴とする。
【０００９】
くわえて、請求項５に記載の発明に係る衣服襟部構造は、請求項１から４に記載の発明に係る衣服襟部構造において、開口部を形成した横長の襟袋を、衣服襟部の裏面又は表面に周方向で取り付け、前記襟袋に襟カラーを挿入することを特徴とする。
【００１０】
さらにくわえて、請求項６に記載の発明に係る衣服襟部構造は、弾性を有し、略全体が磁性体からなる帯体と、開口部を形成した横長の肩袋を、衣服首周り部の下方の裏面又は表面に周方向で取り付け、前記帯体を前記開口部より前記袋体へ挿入して後、当該衣服を着用することを特徴とする。
【発明の効果】
【００１１】
本考案に係る衣服襟部構造によれば、衣服を着用すると、襟部等より露出する磁性体を着用者の首部のつぼ付近に自然に位置させることができ、一旦その位置が定まれば、いちいち位置決めをする必要がない。また、磁性体が磁力を発する限りは繰り返し使用が可能で、コストを削減した磁気治療効果が期待できる。そして、衣服を着用してさらにネクタイを締めると、磁性体が着用者の皮膚と密着又は極めて隣接してより大きい磁気治療効果を期待できるばかりか、見栄えも良いという利点を有する。
【発明を実施するための最良の形態】
【００１２】
以下、図面を参照しつつ、本発明に係る衣服襟部構造の好ましい実施形態を説明する。図１は、第１衣服襟部構造における袋体を示す正面図、図２（ａ）は第１帯体を示す正面図、（ｂ）は第２帯体を示す正面図、図３は、第１衣服襟部構造の袋体に第１帯体を挿入した状態を示す正面図、図４はその着用状態を示す説明図である。
【００１３】
第１衣服襟部構造１０は、例えば、Ｙシャツ、ポロシャツ、丸首セーター、トレーナー等の、その襟部１２の下方にある首周り部１４が着用時に着用者の首部に接触する全ての衣服において、その首周り部１４の裏面又は表面に横長で略楕円形状からなる布地を周方向に重ね、一部を残してその周部を縫着し、一側に開口部１６を形成した袋体１８を取り付けたものである。
【００１４】
また、第１帯体２０は、例えば、厚手布地、合成樹脂、厚紙等の、偏平で十分な弾性を有する素材を使用し、楕円状の横長に形成されるものである。なお、第１帯体２０は、袋体１８の開口部１６から容易に挿入できるものであればその形状や大きさに制限はないが、袋体１８の内部で衣服着用中に移動しないよう袋体１８よりやや小さくほぼ一致する形状であることが望ましい。
【００１５】
そして、この第１帯体２０の中央部には、例えば、磁束密度８０ミリステラ〜１３０ミリステラ程度のフェライトや希土類からなる永久磁石であって、４ミリ〜６ミリ程度粒状の磁性体２２が強力接着剤を使用して直列状に取り付けてある。
【００１６】
このような第１衣服襟構造１０によれば、例えば、肩こりが起きた場合に、第１帯体２０を袋体１８に挿入した状態で衣服を着用すると、第１帯体２０は衣服の首周り部１４と共に着用者の首部２８に沿って湾曲し、そこに位置する身体のつぼ部に磁性体２２が発する磁力が作用する。よって、肩こりの解消を促す磁気治療効果を発揮する。また、見た目にも通常の衣服の着用状態と何ら変わりがなく自然であり、衣服着用中は常に身体のつぼ部に磁力が作用するものと考えられるので、大きな磁気治療効果が期待できる。
【００１７】
そして、磁性体２２が磁力を発する限りは繰り返し使用が可能で、従来の磁性体を取り付けた絆創膏等のような使い捨てが生じないので、コスト面で非常に有利である。特に、磁性体２２の位置に関しては、着用者自身の身体のつぼ部に接触するように一旦位置決めすれば、以後は同様に第１帯体２０を袋体１８に挿入すれば自動的に同様の磁気治療効果が期待できる。よって、いちいち手鏡等を使用して位置決めをし、絆創膏等を貼り付けるといった手間が一切不要となる。
【００１８】
なお、第２帯体２４は、第１帯体２０と同様に、袋体よりやや小さい面積でほぼ一致する形状からなるが、その素材全体をゴム磁石２２で形成したものである。第２帯体２４の使用方法は、第１帯体２０と同様である。
【００１９】
図５は、第２衣服襟部構造における袋体を示す正面図、図６は、第３帯体を示す正面図、図７は、第２衣服襟部構造の袋体に第３帯体を挿入した状態を示す正面図である。
【００２０】
第２衣服襟部構造３０における袋体３８は、第１衣服襟部構造１０の袋体１８と略同様の素材、形状からなるものであるが、くわえて略中央に円形状の窓部３９が形成されている。
【００２１】
また、第３帯体４０は、第１帯体２０と同様に、袋体よりやや小さい面積でほぼ一致する形状からなるが、袋体３８の窓部３９に対応した位置に磁性体４２が取り付けられたものである。
【００２２】
そして、この第２衣服襟部構造３０は、前記第１衣服襟部構造１０同様の方法で袋体３８に第３帯体又は他の帯体を挿入して使用するものであるが、第２衣服襟部構造３０に第３帯体４０を挿入すると、窓部３９より磁性体４２が露呈する。
【００２３】
したがって、この第２衣服襟構造３０の袋体３８に第３帯体４０又は他の帯体を挿入して衣服を着用すると、着用者の首部に位置する身体のつぼ部に窓部３９から露出した磁性体４２が直接接触し、前記同様の磁気治療効果をより強く発揮することが期待される。
【００２４】
図８（ａ）は、第３衣服襟部構造における袋体を示す正面図、（ｂ）は、第３衣服襟部構造に使用される襟袋を示す正面図、（ｃ）は、第３衣服襟部構造に使用される襟カラーを示す正面図、図９（ａ）は、第３衣服襟部構造における袋体に第１帯体を挿入する状態を示す正面図、（ｂ）は、第３衣服襟部構造における襟袋に襟カラーを挿入する状態を示す正面図は、図１０は、第３衣服襟部構造の着用状態を示す説明図である。
【００２５】
第３衣服襟部構造５０は、衣服のうちの特に、例えば、Ｙシャツに採用されるものである。第３衣服襟部構造５０では、首周り部５４の裏面又は表面下方に第１衣服襟部構造１０や第２衣服襟部構造３０と略同様の構成で袋体５８が形成されている。
【００２６】
くわえて、第３衣服襟部構造５０では、首周り部５４の上方の裏面又は表面（折り返し襟部）に横長の生地を重ね合わせ、一部を残してその周部を縫着し、下側全体に横長の開口部６２８（図示せず。）を設けた襟袋６０が形成されている。
【００２７】
すなわち、第３衣服襟部構造５０は、衣服の着用にあたって、前記第１帯体２０や他の帯体が挿入されるのみならず、襟カラー７０も挿入することができる。襟カラー７０は、例えば、合成樹脂、ボール紙等のある程度弾性を有する偏平板から形成されるもので、襟袋６０より小さいがほぼ一致する形状であって、襟袋６０内で容易に移動することがないものが望ましい。
【００２８】
このような第３衣服襟部構造５０を使用する際には、第１帯体１０等を襟部下方の裏面又は表面に形成された袋体５８に挿入し、かつ襟カラー７０を襟袋６０に挿入し、Ｙシャツ等を着用する。そして、ネクタイ７２を締めることで、襟カラー７０の存在により襟部５２全体がしっかり立ち上がるので、ネクタイ７２が襟部５２を着用者の首周りにより固定し、さらに襟部５２が首周りに沿って湾曲してかつ肌に接触し易くなる。
【００２９】
なお、Ｙシャツ等の着用中は、襟部５２は外側に折り返されるので、襟袋６０の開口部６２は閉じた状態となり、第３衣服襟部構造５０において襟カラー７０が襟袋６０から外れることはない。
【００３０】
このように第３衣服襟部構造５０においては、襟カラー７０の存在によりネクタイ７２を締め易くなることと相俟って、襟部５２の長時間の保形が可能となり、第１帯体１０等の磁性体２２等を身体のつぼ部付近の皮膚へより密着又は極めて隣接させることで、さらに強力な磁気治療効果が期待される。また、襟部５２がストレートに立ち上がるという美的効果を発揮することもできる。
【００３１】
図１１（ａ）は、第４衣服襟部構造における袋体を示す正面図、（ｂ）は、第４帯体を示す正面図、図１２は、第４衣服襟部構造の袋体に第４帯体を挿入した状態を示す正面図である。
【００３２】
第４衣服襟部構造８０は、前記の衣服首周り部の更に下方の裏面又は表面、すなわち衣服を着用すると肩上部に触れる部分８６に幅細の肩袋８８を形成したものである。もちろん、肩袋８８は、単独で使用しても良いし、前記の第１衣服襟部構造１０の袋体１８や第３衣服襟部構造５０の襟袋６０と併用することもできる（ここでは図示せず。）。
【００３３】
肩袋８８に挿入される第４帯体９０は、例えば、全体が細径な弾性に富むループ状の磁性体９０からなり、フェライト磁石やゴム磁石を紐状に形成し、その周囲をウレタン等の樹脂により被覆したものが挙げられる。そして、その寸法や形状は、肩袋８８より細いがほぼ一致する形状であって、肩袋８８内で容易に移動することがないものが望ましい点は同様である。なお、細径であることより、第４帯体９０の両端には係止部９２が取り付けられているが、必ずしも係止部９２は必要なく、第４帯体にも偏平形状を採用することができるのはもちろんである。
【００３４】
第４衣服襟部構造８０の使用方法は、前記の第１衣服襟部構造１０等と全く同様であって、肩袋８８に第４帯体９０を挿入し、衣服を着用する。そして、磁性体が肩上部のつぼ付近に対し強力な磁気治療効果を発揮することが期待される。また、第４衣服襟部構造８０は、着用者の首部廻りに帯体が全く存在しないため、首廻りがうっとうしくなく、衣服の着用感が極めて快適である。
【００３５】
以上、本発明に係る衣服襟部構造について、いくつかの実施形態を説明したが、それを以って本発明を限定するものではなく、この発明の精神を逸脱しない限り、種々の改変を加えることができることはいうまでもない。すなわち、便宜上、本発明をＹシャツ等に限定して説明したが、その他の衣服、例えば、ポロシャツ等、丸首セーター、トレーナー等に適用できることはいうまでもない。また、袋体、襟袋、肩袋の形状は、前記したものに限る必要はなく、開口部を中央に切れ目を形成しても良く、また開口部にファスナーを取り付けても良い、要は磁性を帯びた第１帯体等を挿入して、中で容易に移動しないものであればその形状には何ら限定はない。
【図面の簡単な説明】
【００３６】
【図１】第１衣服襟部構造を示す正面図である。
【図２】第１帯体と第２帯体を示す正面図である。
【図３】第１衣服襟部構造の袋体に第１帯体を挿入した状態を示す正面図である。
【図４】第１衣服襟部構造の着用状態を示す説明図である。
【図５】第２衣服襟部構造における袋体を示す正面図である。
【図６】第３帯体を示す正面図である。
【図７】第２衣服襟部構造の袋体に第３帯体を挿入した状態を示す正面図である。
【図８】第３衣服襟部構造における袋体、襟袋、襟カラーをそれぞれ示す正面図である。
【図９】第３衣服襟部構造の袋体に第１帯体、その襟袋に襟カラーを挿入する状態を示す正面図である。
【図１０】第３衣服襟部構造の着用状態を示す説明図である。
【図１１】第４衣服襟部構造における袋体と第４帯体を示す正面図である。
【図１２】第４衣服襟部構造の袋体に第４帯体を挿入した状態を示す正面である。
【符号の説明】
【００３７】
１０  第１衣服襟部構造
１２  襟部
１４  首周り部
１６  開口部
１８  袋体
２０  第１帯体
２２  磁性体
２２  ゴム磁石
２４  第２帯体
２８  首部
３０  第２衣服襟部構造
３８  袋体
３９  窓部
４０  第３帯体
４２  磁性体
５０  第３衣服襟部構造
５２  襟部
５８  袋体
６０  襟袋
６２  開口部
７０  襟カラー
７２  ネクタイ
８０  第４衣服襟部構造
８６  部分
８８  肩袋
９０  第４帯体
９０  磁性体
９２  係止部
【図１】
2009013508.tif 000003
【図２】
2009013508.tif 000004
【図３】
2009013508.tif 000005
【図４】
2009013508.tif 000006
【図５】
2009013508.tif 000007
【図６】
2009013508.tif 000008
【図７】
2009013508.tif 000009
【図８】
2009013508.tif 000010
【図９】
2009013508.tif 000011
【図１０】
2009013508.tif 000012
【図１１】
2009013508.tif 000013
【図１２】
2009013508.tif 000014